(57)【要約】      （修正有）【課題】一方ではコンパクトなデザインを有し、他方では湿度の正確な算出を可能とする測定センサ素子を提供する。【解決手段】温度センサ１５０と、湿度センサ１８０とを有する測定センサ素子１００において、測定センサ素子１００の基端部１１１と先端部１１２の間で延在する本体部１１０と、湿度を表すデータ信号を出力し、湿度センサ１８０を加熱するための供給信号を受信するように形成されたインターフェース１２０と、温度センサ１５０及び湿度センサ１８０に接続された電子機器１３０とを含み、該電子機器１３０が、温度測定値及び湿度測定値に依存してデータ信号を提供し、湿度センサ１８０が先端部１１２に配置されており、温度センサ１５０が、本体部１１０の一部によって湿度センサ１８０から離間して基端部１１１と先端部１１２の間に配置されている周囲温度測定プローブ１５１を含んでいる。【選択図】図１
2019049552.tif 000002
【特許請求の範囲】
【請求項１】
温度測定値を検出するための温度センサ（１５０）と、湿度測定値を検出するための湿度センサ（１８０）とを有する測定センサ素子（１００）であって、
−当該測定センサ素子（１００）の基端部（１１１）と先端部（１１２）の間で長く延在する本体部（１１０）と、
−湿度を表すデータ信号を出力し、前記湿度センサ（１８０）を加熱するための供給信号を受信するように形成された、前記基端部（１１１）に配置されたインターフェース（１２０）と、
−前記温度センサ（１５０）及び前記湿度センサ（１８０）に接続され、前記本体部（１１０）に配置され、前記インターフェース（１２０）に後続配置された電子機器（１３０）と
を含み、該電子機器（１３０）が、温度測定値及び湿度測定値に依存してデータ信号を提供するように形成されており、
−前記湿度センサ（１８０）が前記先端部（１１２）に配置されており、
−前記温度センサ（１５０）が、前記本体部（１１０）の一部によって前記湿度センサ（１８０）から離間して前記基端部（１１１）と前記先端部（１１２）の間に配置されている周囲温度測定プローブ（１５１）を含んでいることを特徴とする測定センサ素子。
【請求項２】
前記周囲温度測定プローブ（１５１）が、前記基端部（１１１）へ向いた先端部（１５１１）を含んでいることを特徴とする請求項１に記載の測定センサ素子（１００）。
【請求項３】
前記本体部（１１０）が、前記周囲温度測定プローブ（１５１）を包囲する第１の凹部（１１３）を備えていることを特徴とする請求項１又は２に記載の測定センサ素子（１００）。
【請求項４】
前記周囲温度測定プローブ（１５１）が、そのほか、前記本体部（１１０）の別の部分によって前記電子機器（１３０）から離間されていることを特徴とする請求項１〜３のいずれか１項に記載の測定センサ素子（１００）。
【請求項５】
前記本体部（１１０）が、前記湿度センサ（１８０）と前記温度センサ（１５０）の間に配置された分離構造を備えていることを特徴とする請求項１〜４のいずれか１項に記載の測定センサ素子（１００）。
【請求項６】
前記分離構造が、局所的に低減された熱伝導率を有していることを特徴とする請求項５に記載の測定センサ素子（１００）。
【請求項７】
前記分離構造が、前記本体部の第２の凹部（１１４）を含んでいることを特徴とする請求項５又は６に記載の測定センサ素子（１００）。
【請求項８】
前記第２の凹部（１１４）が少なくとも５ｍｍの長さを有していることを特徴とする請求項７に記載の測定センサ素子（１００）。
【請求項９】
前記第２の凹部（１１４）が、前記本体部（１１０）の幅の少なくとも４０％の幅を有していることを特徴とする請求項７又は８に記載の測定センサ素子（１００）。
【請求項１０】
前記湿度センサ（１８０）が、同様に前記先端部（１１２）に配置されたヒータ（１８３）を含んでいることを特徴とする請求項１〜９のいずれか１項に記載の測定センサ素子（１００）。
【請求項１１】
前記電子機器（１３０）が、前記湿度センサ（１８０）における温度を調整するように形成されていることを特徴とする請求項１〜１０のいずれか１項に記載の測定センサ素子（１００）。
【請求項１２】
前記湿度センサ（１８０）が、湿度測定プローブ（１８２）及び温度測定プローブ（１８２）を含んでいることを特徴とする請求項１〜１１のいずれか１項に記載の測定センサ素子（１００）。
【請求項１３】
前記湿度センサ（１８０）の加熱可能な湿度チャンバ（１８４）も、また前記電子機器（１３０）も収容し、前記本体部（１１０）を包囲するハウジング（１７０）を更に含むことを特徴とする請求項１〜１２のいずれか１項に記載の測定センサ素子（１００）。
【請求項１４】
前記ハウジング（１７０）が合成樹脂射出成形部材を含んでいることを特徴とする請求項１３に記載の測定センサ素子（１００）。
【請求項１５】
当該測定センサ素子（１００）が、空調装置において位置固定して取り付けるように形成されていることを特徴とする請求項１〜１４のいずれか１項に記載の測定センサ素子（１００）。
【発明の詳細な説明】
【技術分野】
【０００１】
本明細書は、例えば気象学−データ検出の目的のために湿度を算出するための測定センサ素子の実施形態に関するものである。
【背景技術】
【０００２】
周囲空気の湿度を算出するための測定センサ素子において、湿度センサが周囲温度より高い温度へもたらされる測定センサ素子が従来技術から知られている。これにより、測定箇所における相対湿度が低減されることができ、したがって測定を誤らせ得る結露のおそれが低減され得る。そして、湿度センサの固有の温度測定プローブによって、この温度過上昇が算出され得る。湿度センサの湿度測定プローブによって算出された湿度値と、温度過上昇とに基づき、例えば水蒸気分圧を算出することが可能である。
【０００３】
測定センサ素子についてのこのような湿度センサの例は、Ｅ＋Ｅ  Ｅｌｅｋｔｒｏｎｉｋ有限会社のタイプ「ＥＥ３３」の装置についてのデータシートから知られており、このデータシートは、ＵＲＬ  ｈｔｔｐ：／／ｄｏｗｎｌｏａｄｓ．ｅｐｌｕｓｅ．ｃｏｍ／ｆｉｌｅａｄｍｉｎ／ｄａｔａ／ｐｒｏｄｕｃｔ／ｅｅ３３／Ｄａｔｅｎｂｌａｔｔ＿ＥＥ３３．ｐｄｆから得ることが可能である。
【０００４】
そのほか、ＵＲＬ  ｈｔｔｐ：／／ｄｏｗｎｌｏａｄｓ．ｅｐｌｕｓｅ．ｃｏｍ／ｆｉｌｅａｄｍｉｎ／ｄａｔａ／ｐｒｏｄｕｃｔ／ｅｅ３３／ＨＭＣ０１＿ｄｅｕｔｓｃｈ．ｐｄｆから得られる、Ｅ＋Ｅ  Ｅｌｅｋｔｒｏｎｉｋ有限会社のタイプ「ＨＭＣ０１」の装置についてのデータシートにおいて得られるように、測定センサ素子の湿度センサにおいては、湿度測定プローブ及び温度測定プローブが一部材で統合されることができる。
【０００５】
周囲の実際の湿度の最終的な演算のために、湿度測定プローブにおいて生じる温度のほかに、実施の周囲温度、すなわち湿度値が特定されるべき各周囲の周囲温度を算出することが合目的であり得る。このために、湿度センサに加えて設けられるべき、湿度測定プローブにおいて生じる高められた温度の影響をできる限り受けずに周囲温度を算出する周囲温度センサが必要である。
【０００６】
この関連では、測定センサ素子において、湿度センサと、周囲温度の測定のための温度センサは、それぞれ別々のハウジングに収納される、したがって互いに別々に位置決めされ得ることが知られている。例えば、ＶＡＩＳＡＬＡ株式会社のタイプ「ＨＭＰ１５５」の装置についてのユーザマニュアルにはこの種の手法が記載されており、この文書は、ＵＲＬ  ｈｔｔｐ：／／ｗｗｗ．ｖａｉｓａｌａ．ｃｏｍ／Ｖａｉｓａｌａ％２０Ｄｏｃｕｍｅｎｔｓ／Ｕｓｅｒ％２０Ｇｕｉｄｅｓ％２０ａｎｄ％２０Ｑｕｉｃｋ％２０Ｒｅｆ％２０Ｇｕｉｄｅｓ／ＨＭＰ１５５＿Ｕｓｅｒ＿Ｇｕｉｄｅ＿ｉｎ＿Ｅｎｇｌｉｓｈ．ｐｄｆから得られる。測定センサ素子のこの分配された配置においては、周囲温度を比較的正確に算出することができるものの、測定センサ素子の取付が、別々の両ハウジングにより煩わしい。
【０００７】
湿度センサが、周囲温度を測定するための温度センサとしても共通の本体部に固定されている測定センサ素子は、ＲＯＴＲＯＮＩＣのタイプ「ＨｙｄｒｏＭｅｔ４」の装置についてのデータシートから知られており、このデータシートは、ＵＲＬ  ｈｔｔｐｓ：／／ｗｗｗ．ｒｏｔｒｏｎｉｃ．ｃｏｍ／ｅｎ／ｐｒｏｄｕｃｔａｔｔａｃｈｍｅｎｔｓ／ｉｎｄｅｘ／ｄｏｗｎｌｏａｄ？ｉｄ＝９２９から得られる。
【０００８】
しかしながら、最後に挙げた装置においては、周囲温度を測定するための温度センサが測定センサ素子の先端部を形成し、したがって比較的容易に損傷し得るという問題がある。さらに、温度センサは湿度センサの直近に配置されているため、温度センサにより算出される温度は、とりわけ、湿度センサにおいて生じる温度過上昇の影響を受けている。
【発明の概要】
【発明が解決しようとする課題】
【０００９】
したがって、課題は、一方ではコンパクトなデザインを有し、他方では湿度の正確な算出を可能とする測定センサ素子を提案することにある。
【課題を解決するための手段】
【００１０】
これを起点として、ここでは、独立請求項１により、温度測定値を検出するための温度センサと、湿度測定値を検出するための湿度センサとを有する測定センサ素子が提案される。いくつかの実施例の特徴が従属請求項に記載されている。特に明示的に言及しない限り、従属請求項の特徴は、別の実施形態を形成するために互いに組み合わせられることが可能である。
【００１１】
測定センサ素子は、測定センサ素子の基端部と先端部の間で長く延在する本体部を含んでいる。基端部には、湿度について示すデータ信号を出力するように形成されたインターフェースが配置されている。そのほか、インターフェースは、湿度センサを加熱するための供給信号を受信するように形成されている。
【００１２】
測定センサ素子においては、本体部に配置されインターフェースの近傍に配置された電子機器が更に設けられており、この電子機器は、温度センサにも、また湿度センサにも接続されている。電気機器は、温度測定値及び湿度測定値に依存してデータ信号を提供するように形成されている。
【００１３】
このとき、湿度センサは、先端部に配置されている。湿度センサは、測定センサ素子の先端部を形成することも可能である。
【００１４】
温度センサは周囲温度測定プローブを含んでおり、この周囲温度測定プローブは、本体部の一部によって湿度センサから離間しているとともに、基端部と先端部の間に配置されている。したがって、例えば、湿度センサは、測定センサ素子の先端部を形成しており、温度センサは、例えば本体部のほぼ中央に固定されることができる。さらに、温度センサの周囲温度測定プローブは、本体部１１０の別の部分によって電子機器からも離間されることが可能である。
【００１５】
湿度センサ及び温度センサの配置により、湿度の正確な算出が可能となる上、応用における測定センサ素子の簡単な取付も可能となり、同時に、温度センサが外部の作用に対して保護されることが保証され得る。さらに、有利には、測定センサ素子は、湿度センサと温度センサの間の間隔に基づき、キャリブレーションされることが可能である。
【００１６】
例えば、周囲温度測定プローブは先端部を含んでおり、この先端部は、湿度センサに向いておらず、測定センサ素子の基端部へ、すなわち加熱され得る湿度センサから離れるように向いている。
【００１７】
一実施形態においては、本体部は、周囲温度測定プローブを包囲する第１の凹部を含んでいる。本体部は、例えば基板（ＰＣＢ、Ｐｒｉｎｔｅｄ  Ｃｉｒｃｕｉｔ  Ｂｏａｒｄ）として構成されることができ、この本体部には、凹部がフライス加工又は打抜き加工され、この凹部には、周囲温度測定プローブが配置される。したがって、周囲温度測定プローブは、本体部によって、外部の作用に対して保護されている。
【００１８】
本体部は、湿度センサと温度センサの間に配置された分離構造を備えることが可能である。したがって、温度センサは、湿度センサに対して直接隣り合っているのではなく、本体部の一部、すなわち分離構造によって湿度センサから離間している。分離構造は、局所的に低減された熱伝導率を有することができ、熱伝導率のこのような低減は、様々な態様で、例えば適当な材料の選択によって、及び／又は幾何学的な構成によって、実行されることが可能である。同様の事項は、周囲温度測定プローブと電子機器の間の間隔を形成する本体部の一部についても当てはまり得る。
【００１９】
例えば、分離構造が本体部の第２の凹部を含んでいるか、あるいはこのような凹部によって形成されていることが本発明の範囲にある。この第２の凹部は、例えば、先端部と、周囲温度測定プローブを包囲する第１の凹部との間に配置されることができる。例えば、この第２の凹部は、（本体部の長手延長部に沿って）少なくとも５ｍｍの長さ及び／又は本体部の幅の少なくとも４０％の幅を有している。幅及び／又は長さは、より大きく選択されることもでき、これにより、測定センサ素子の機械的な安定性が危険にさらされない限り、先端部における湿度センサと周囲温度測定プローブの箇所の間の適当により大きな熱的な分離が生じる。
【００２０】
測定センサ素子の湿度センサは、同様に先端部に配置されている別々の、あるいは追加のヒータを含むことができる。湿度センサは、湿度測定プローブ及び温度測定プローブを備えることが可能であり、これら湿度測定プローブ及び温度測定プローブは、タイプ「ＨＭＣ０１」の装置についての冒頭で挙げたデータシートに記載されているような態様で実装される。測定センサ素子の一実施形態では、湿度センサは、このデータシートに記載されているのと全く同様に構成されている。湿度測定プローブ及び温度測定プローブは、（例えば上述のヒータによって）加熱可能な湿度センサの湿度チャンバに収容されることが可能である。この湿度チャンバあるいはこれを空間的に画成する閉鎖スリーブは、測定センサ素子の先端部を形成することが可能である。別々のヒータに加えて、湿度センサの加熱を、温度測定プローブの高められた測定電流によって、あるいはその損失出力によっても行うことができる。電子機器は、湿度センサにおける温度を適切に調整するように形成されることが可能である。
【００２１】
インターフェースを除いて、測定センサ素子の構成要素は、例えば射出成形部材を含み得る共通のハウジングに統合されることが可能である。特に、ハウジングは、湿度センサの湿度チャンバも、また電子機器も収容することが可能である。
【００２２】
同様に、上述の本体部の第１の凹部は、ハウジングによって形成されることができ、その結果、ハウジングの対応する凹部が周囲温度測定プローブを包囲する。
【００２３】
測定センサ素子の一実施形態においては、測定センサ素子の電子機器により生成された、インターフェースから出力されるデータ信号は、相対湿度と、選択的に更に周囲の温度を表す。
【００２４】
測定センサ素子は、できる限り正確な湿度の算出が重要である複数の異なる用途のために形成されることができる。このとき、特に気象学的なデータ検出が考慮に入れられる。他の実施形態においては、例えば、測定センサ素子は、空調装置、例えば車両の空調装置において位置固定して取り付けるように形成されている。他の応用分野は、製薬産業及び食品産業、キノコ農場、湿気倉庫、空調室、試験室及び熟成室、気象学並びに対象物の乾燥、例えばセラミック、木材、コンクリート及び／又はポリエステルの乾燥を含む。
【００２５】
本発明の他の詳細及び利点は、図面に基づくいくつかの実施例の以下の説明において明らかとなる。
【図面の簡単な説明】
【００２６】
【図１】１つ又は複数の実施形態による測定センサ素子の例示的かつ概略的な斜視図である。
【図２Ａ】１つ又は複数の実施形態による測定センサ素子の一部の例示的かつ概略的な斜視図である。
【図２Ｂ】１つ又は複数の実施形態による測定センサ素子の一部の例示的かつ概略的な斜視図である。
【図２Ｃ】１つ又は複数の実施形態による測定センサ素子の一部の例示的かつ概略的な斜視図である。
【図３】１つ又は複数の実施形態による測定センサ素子の湿度センサの一部の例示的かつ概略的な平面図である。
【図４】１つ又は複数の実施形態による測定センサ素子の湿度センサの一部の例示的かつ概略的な断面図である。
【図５】１つ又は複数の実施形態による測定センサ素子の温度センサの例示的かつ概略的な断面図である。
【発明を実施するための形態】
【００２７】
図１には、測定センサ素子１００の概略的かつ例示的な斜視図が示されている。測定センサ素子１００は、温度測定値（特に周囲温度測定値）を検出するための温度センサ１５０と、湿度測定値を検出するための湿度センサ１８０とを含んでいる。
【００２８】
測定センサ素子１００は、測定センサ素子１００の基端部１１１と先端部１１２の間で長く延在する本体部１１０を基礎としている。本体部１１０は、その中央の幅の少なくとも２倍の長い延長部を備えることができる。
【００２９】
図２Ａに概略的に図示されているような実施形態においては、本体部１１０は、基板、例えばプリント回路基板（ＰＣＢ基板）を含んでいる。本体部１１０は、基板の形態で存在することも可能である。基板は、測定センサ素子１００の構成要素に装着されていることが可能である。
【００３０】
基端部１１１には、湿度について示すデータ信号を出力するように形成されたインターフェース１２０が配置されている。本実施例では、インターフェース１２０は、本体部１１０に固定されているとともに、データ信号をデータバスへ出力するプラグを含んでいる。これに代えて、データ信号を、インターフェース１２０によってワイヤレスに無線信号として出力することも可能である。
【００３１】
インターフェース１２０は、通常のシリアルデータ伝送規格、例えばＥＩＡ−４８５規格と互換性があってよい。同時に、インターフェース１２０は、例えばプラグがネジ部へ螺着されるか、あるいはネジ部へ螺入されることで、測定センサ素子１００の機械的な固定のために形成されることも可能である。インターフェース１２０は、測定センサ素子１００を取り付けることが可能な応用（Ａｎｗｅｎｄｕｎｇ）の連結点と本体部１１０の間の移行部を形成している。
【００３２】
そのほか、測定センサ素子１００は、インターフェース１２０を介して、湿度センサ１８０を加熱するための供給（給電）信号を受信することが可能である。供給信号は、例えば電流信号又は電圧信号である。
【００３３】
インターフェース１２０は、図１では視認不能な、図２Ａでは概略的にのみ図示された電子機器１３０が準備されており、この電子機器は、本体部１１０に固定されている。電子機器１３０は、例えば、温度センサ１５０によって検出された温度測定値と、湿度センサ１８０によって検出された湿度測定値とを受信し、これらの測定値に依存して、湿度（及び選択的に更に周囲温度）を表すデータ信号を演算し、提供し、インターフェース１２０を介して出力する評価ユニットを含んでいる。
【００３４】
電子機器１３０は、評価ユニットのほかに、パッシブ構成要素及び／又はパワーエレクトロニクス構成要素を含むことができるとともに、例えば、これら構成要素を用いて供給信号を受信し、湿度センサ１８０の加熱の目的のために供給信号を処理し、湿度センサ１８０へ伝送するように形成されることが可能である。
【００３５】
供給信号あるいはこの供給信号から導出される信号を伝達するため、及び温度測定値及び湿度測定値を伝達するために、例えば上述の基板の形態の本体部１１０は、適当なライン、ケーブル及び／又は不図示の統合された伝導経路を含んでいる。
【００３６】
図１〜図４の全てにおいて明らかであるように、湿度センサ１８０は、測定センサ素子１００の先端部１１２に配置されている。したがって、図示の実施例において、湿度センサ１８０は、測定センサ素子１００の先端部を形成しており、これについては、図２Ａ〜図４に関連して後により詳細に説明する。
【００３７】
先端部１１２へ向いた本体部１１０の端部には、本体部１１０のこの端部から突出する、ここでは２つのピン１１７１，１１７２が設けられており、これらピンには、例えばはんだ付けによって支持部１８００（図３参照）が固定されている。図示の両ピン１１７１，１１７２の代わりに、より多くのピン又は１つのみのピンも設けることが可能である。同様に、測定センサ素子の他の実施形態においては、ピン１１７１，１１７２に代わる結合手段を設けることが可能である。しかし、図示の目的のために、以下では常に「ピン１１７１，１１７２」について言及する。
【００３８】
支持部１８００には、例えば、Ｅ＋Ｅ  ＥＬＥＫＴＲＯＮＩＫ有限会社の「ＨＭＣ０１」のタイプの装置についての、冒頭で引用したデータシートから公知であるような態様で、湿度測定プローブ１８１及び温度測定プローブ１８２が配置されている。この関係において、湿度センサ１８０のこの考えられる実施形態の例示的な詳細に関してこのデータシートが参照される。
【００３９】
支持部１８００は例えばガラス基板で製造されており、このガラス基板は、温度測定プローブ１８２と、その上に位置する湿度測定プローブ１８１を支持している。このとき、支持部１８００の加熱は、一方では、温度測定プローブ１８２の測定電流が適切に上昇され、これによる損失出力が加熱出力として利用されることによって可能である。他方では、本体部１１０の端部において、ヒータ１８３を用いて湿度センサ１８０の追加的な加熱が可能であり、このヒータ１８３は、本体部１１０に配置された熱抵抗として形成されることが可能である。そして、両ピン１１７１，１１７２のうち少なくとも１つは、熱伝導部として機能することができ、この熱伝導部を介して、追加的なヒータ１８３によって発生する熱が支持部１８００へ供給される。図４に示されているように、両ピン１１７１，１１７２のうち１つは、例えば本体部１１０の上側に固定されることができ、両ピン１１７１，１１７２のうち他方は、本体部１１０の下側に固定されることができる。
【００４０】
これにより、特に、湿度測定プローブ１８１と、温度測定プローブ１８２とから成る構造を測定センサ素子１００の周囲温度より高い温度にさらすことが可能となり得る。特に、電子機器１３０は、ヒータ１８３及び温度測定プローブ１８２の測定電流を用いつつ、湿度センサ１８０、例えば支持部１８００における温度を適切に調節するように形成されることが可能である。例えば、測定センサ素子１００は、加熱により、湿度センサ１８０の結露及びこれに伴う測定値の誤りを防止するように形成されている。この種の結露は、加熱しない場合に、例えば、特に空気湿度を有する周囲環境において生じ得る。
【００４１】
湿度測定プローブ１８１及び温度測定プローブ１８２のセンサ信号は、電子機器１３０、特に電子機器１３０の評価ユニットへ更なる処理のために供給され、このために、両ピン１１７１，１１７２のほかに（不図示の）伝導部及び／又は伝導経路を本体部１１０に、又は本体部１１０内に設けることが可能である。
【００４２】
図示の実施例では、湿度センサ１８０は、そのほか閉鎖スリーブ１８６を備えており、この閉鎖スリーブは、湿度測定プローブ１８１及び温度測定プローブ１８２から成る構造へかぶせられることができ、例えばネジ構造１８７，１８８を用いて測定センサ素子１００の他の部分に結合されることが可能である。このようにして、閉鎖スリーブ１８６により、湿度センサ１８０の湿度チャンバ１８４を形成することが可能である。この閉鎖スリーブ１８６は、同時に、測定センサ素子１００を閉鎖するハウジング１７０の一部、特に測定センサ素子１００の先端部１１２を形成することができる。
【００４３】
周囲温度の測定に用いられ、したがって周囲温度測定プローブ１５１を含む温度センサ１５０は、先端部１１２には配置されていない。むしろ、周囲温度測定プローブ１５１は、本体部１１０の一部によって、湿度センサ１８０から離間して、基端部１１１と先端部１２０の間に、例えば図１〜図２Ｃに図示されているように本体部のほぼ中央に配置されている。さらに、周囲温度測定プローブ１５１は、本体部１１０の別の部分によって電子機器１３０から離間されることが可能である。
【００４４】
本実施例では、電子機器１３０は、基端部１１１と周囲温度測定プローブ１５１の間に設けられている。
【００４５】
加熱された湿度センサ１８０及び温度センサ１５０の構造により、周囲温度測定プローブ１５１は、過熱された湿度センサ１８０から熱的に分離されており、その結果、周囲温度を正確に検出することが可能である。
【００４６】
本実施例では、周囲温度測定プローブ１５１の測定信号も、電子機器１３０へ、特に電子機器１３０の評価ユニットへ供給される。この電子機器は、周囲温度測定プローブ１５１の測定信号、湿度センサ１８０の温度測定プローブ１８２の測定信号及び湿度センサ１８０の湿度測定プローブ１８１の測定信号に依存して、測定センサ素子１００の周囲の湿度を示すデータ信号を演算し、提供し、インターフェース１２０を介して出力することが可能である。
【００４７】
熱的な分離は、周囲温度測定プローブ１５１の先端部１５１１が基端部１１１へ向いていること、すなわち湿度センサ１８０が配置されている先端部１１２から離れるように向いていることによってさらに改善され得る。したがって、実際の周囲温度に関する測定記録の箇所は、上述のように加熱され得る湿度測定の箇所から比較的大きく離間している。
【００４８】
図示の実施例では、本体部１１０は第１の凹部１１３を備えており、この第１の凹部は、図２Ａに図示されているように、周囲温度測定プローブ１５１を包囲している。考えられる実施例において、周囲温度測定プローブ１５１及び第１の凹部１１３の配置は、電子機器１３０と周囲温度測定プローブ１５１の間の最小間隔も保持されるように選択されており、この最小間隔は、本体部１１０の別の部分によって形成されることが可能である。なぜなら、電子機器１３０からも、周囲温度の測定を誤らせ得る熱が放出されるためである。
【００４９】
図５には、温度センサ１５０の例示的な実施形態が断面図に基づいて示されている。このとき、温度センサ１５０は、例えば、スリーブ１５１２、例えば金属スリーブ１５１２内に配置された抵抗型の温度センサ（例えばＰＴ１００センサ要素、ＰＴ１０００センサ要素、ＮＴＣセンサ要素又はＰＴＣセンサ要素）の形態のセンサ要素１５１３を備えた、周囲温度測定プローブ１５１を含んでいる。スリーブ１５１２の先端部１５１１は、（先端部１１２にあるか、又はこの先端部を形成する湿度センサ１８０ではなく）基端部１１１の方向へ向いている。センサ要素１５１３は、例えば本体部１１０にはんだ付けされているとともに、図５に例示的に図示されているように、スリーブ１５１２が部分的に本体部１１０の適当な部分から突出している。センサ要素１５１３を収容するスリーブ１５１２は、第１の凹部１１３に配置されているとともに、したがってハウジング１７０の、この凹部１１３を規定する部分によって保護されている。そのほか、スリーブ１５１２の内部空間は、高い熱伝導率の材料で充填されることが可能であり、その結果、スリーブ１５１２と内部に位置するセンサ要素１５１４の間の良好な熱的な結合が確保されている。
【００５０】
温度センサ１５０と湿度センサ１８０の間の熱的な分離は、測定センサ素子１００において、空間的な離間のみによって達成され得るわけではなく、本体部１１０の材料技術的な、及び／又は構造上の適合によっても達成され得る。
【００５１】
したがって、本体部１１０は、例えば、湿度センサ１８０と温度センサ１５０の間に、例えば局所的に低減された熱伝導率を有する分離構造を備えることが可能である。
【００５２】
熱伝導率の低減は、例えば適当な材料を本体部１１０に設けることで実行することが可能である。
【００５３】
これに代えて、又はこれに加えて、図２Ａに概略的に図示されているように、本体部１１０は、関連する部分において、構造上の変更を受けることも可能である。そこでは、本体部１１０は、分離構造の一部であるか、又はこの一部を形成する第２の凹部１１４を備えている。第２の凹部１１４は、周囲温度測定プローブ１５１を包囲する第１の凹部１１３と先端部１１２の間に設けられている。例えば、この凹部は、少なくとも５ｍｍの長さ及び／又は本体部１１０の幅の少なくとも４０％の幅を有している。測定センサ素子１００の機械的な安定性が保証されている限り湿度センサ１８０と温度センサ１５０の間のより大きく表れる熱的な分離を生じさせるために、第２の凹部１１４は、この例示的に挙げられた値よりも大きく寸法設定されることも可能である。
【００５４】
両凹部１１３，１１４は、側部の方向において、例えば適当な結合ウェブ１１３１，１１４１によって画成されており、これら結合ウェブは、それぞれ、（本体部の幅に関して）比較的狭くてよく、したがってわずかな熱伝導率を有する。これによっても、一方では周囲温度測定プローブ１５１と電子機器１３０の間の熱的な分離が確保されることができ、他方では周囲温度測定プローブ１５１と湿度センサ１８０の間の熱的な分離が確保され得る。
【００５５】
上述の説明は、特に、温度センサ１５０と湿度センサ１８０の間の熱的な分離に関するものである。しかしながら、温度センサ１５０と電子機器１３０の間の熱的な分離について類似の又は同様の措置がとられ得ることはいうまでもない。
【００５６】
測定センサ素子１００の製造についての可能な変形例については、以下において図２Ａ〜図２Ｃが参照される。すなわち、本例においては、まず、本体部１１０が、測定記録の目的に必要な構成要素が装備された基板の形態で準備され、これには、例えば電子機器１３０と、周囲温度測定プローブ１５１と、端部において一方ではインターフェース１２０と、他方では後に取り付けられるべき湿度センサ１８０へ延びるピン１１７１，１１７２とが含まれる。基板は、第１の凹部１１３及び第２の凹部１１４を更に備えており、これら凹部は、例えば基板から打ち抜かれるか、又は基板からフライス加工される。
【００５７】
つづいて、図２Ｂに示されているように、本体部１１０は、保護材料の適当な装着の後に、インターフェース１２０から始めて両ピン１１７１，１１７２に至るまで、例えばいわゆるホットメルトモールディング法によってオーバーモールドされる。
【００５８】
つづいて、この生産品は、例えば図２Ｃに示されているように熱可塑的にオーバーモールドされることで合成樹脂オーバーモールドにさらされる。本体部１１０の端部には、その前に、又はその後に更にネジ部１８７を設けることができ、このネジ部は、湿度センサ１８０の閉鎖スリーブ１８６（図３）の対応するカウンタ部材１８８を収容するために形成されている。
【００５９】
同様に、ここでも図１を参照して、測定センサ素子１００は、本体部１１０を包囲するハウジング１７０を備えることができ、このハウジングは、測定センサ素子１００全体を閉鎖し、特に、湿度センサ１８０の加熱可能な湿度チャンバ１８４も、また電子機器１３０も格納するものである。上述の事項に対応して、ハウジング１７０は、合成樹脂射出成形部を含むことができる。
【００６０】
例えば、ハウジング１７０は二部材で形成されており、第１の一体的な部材が、例えば図２Ｃに例示的に示されているように、本体部１１０を完全に包囲しており、第２の一体的な部材が閉鎖スリーブ１８６によって形成されている。閉鎖スリーブ１８６は、同様に合成樹脂射出成形部材として製造されることが可能である。
【００６１】
各図に示された測定センサ素子１００は、できる限り正確な湿度の算出が重要である複数の異なる用途のために形成されることができる。
【００６２】
例えば、測定センサ素子１００は、空調装置、例えば車両の空調装置において位置固定して取り付けるように形成されている。他の応用分野は、製薬産業及び食品産業、キノコ農場、湿気倉庫、空調室、試験室及び熟成室、気象学並びに対象物の乾燥、例えばセラミック、木材、コンクリート及び／又はポリエステルの乾燥を含む。
【００６３】
測定センサ素子１００は、例えば約２５０ｍｍの全長と、約２４ｍｍの平均直径とを有しており、本体部１１０の全長は、インターフェース１２０及び閉鎖スリーブ１８６により、測定センサ素子１００の全長より小さい例えば５０ｍｍである。
【００６４】
測定センサ素子１００の提案された構造により多くの利点が得られ、まず、温度センサ１５０及び湿度センサ１８０が同一の本体部１１０へ連結され、したがって互いに分離して位置決めされる必要がない。それにもかかわらず、温度センサ１５０を加熱可能な湿度センサ１８０から熱的に分離することが、例えば第２の凹部１１４を含む分離構造によって保証されている。第１の凹部１１３内での周囲温度測定プローブ１５１の配置により、この周囲温度測定プローブが外部からの作用から機械的に保護されている。さらに、温度センサ１５０及び湿度センサ１８０の提案された配置により、測定センサ素子１００の有利なキャリブレーションが許容される。例えば、測定センサ素子１００のキャリブレーション時には、閉鎖スリーブ１８６によって形成された測定センサ素子１００の先端部１１２が、湿度キャリブレーション反応装置に挿入され、その結果、湿度センサ１８０が隔離してキャリブレーションされることができる。これとは別に、温度センサ１５０がキャリブレーションされ得る。周囲温度測定プローブ１５１を包囲する上述の第１の凹部１１３は、例えば基端部１１１に位置する、同様に少なくともわずかな熱を放出し得る電子機器１３０から周囲温度測定プローブ１５１の先端部１５１１が十分に、例えば少なくとも５ｍｍ離間しているように寸法設定されることが可能である。さらに、構造により、現場での使用中又は現場での使用後に測定センサ素子を容易に洗浄することが可能である。
【００６５】
インターフェース１２０を介して出力されるデータ信号は、特に、測定センサ素子１００の周囲における相対湿度について表すことが可能である。さらに、電子機器１３０は、温度センサ１５０の測定信号を別の分離したデータ信号としてインターフェース１２０を介して出力するように形成されることが可能である。
【図１】
2019049552.tif 000003
【図２Ａ】
2019049552.tif 000004
【図２Ｂ】
2019049552.tif 000005
【図２Ｃ】
2019049552.tif 000006
【図３】
2019049552.tif 000007
【図４】
2019049552.tif 000008
【図５】
2019049552.tif 000009
【外国語明細書】
2019049552000001.pdf